(57)【特許請求の範囲】
【請求項１】
弾性変形自在とした基板（３）の弾性変形部（３ｂ）を外方へ突出した湾曲面形状とし、前記弾性変形部（３ｂ）に複数突設された弾性を有する略円柱状の突出体（４）の先端部に、複数の弾性を有する突出部（５）を突設し、これら突出部（５）の突出方向をそれぞれ外向き下方に傾斜させたものとし、前記弾性変形部（３ｂ）と外周縁部（３ａ）の繋ぎ目に内周溝（３ｃ）を設けたものとして、その繋ぎ目を薄肉にし、前記弾性変形部（３ｂ）の弾性変形の度合いを調節することができるようにし、さらに前記弾性変形部（３ｂ）に、基台（１）と基板（３）間の中空部（Ｓ）に連通する複数の連通孔（３ｄ）を設け、前記突出体（４）の中央部に、前記中空部（Ｓ）に連通する連通孔（３ｅ）を設け、前記弾性変形部（３ｂ）を大きく上下変形させたときに、前記中空部（Ｓ）に空気をスムーズに出入りさせ、その中空部（Ｓ）に存在する多量の空気を吸排気する際に発生する空気圧を調整し、軽い力で前記弾性変形部（３ｂ）を大きく上下変形できるようにしたことを特徴とするマッサージ具。
【請求項２】
前記突出部（５）を略円柱状とし、その突出部（５）の頭部（５ａ）を、略半球状に形成したことを特徴とする請求項１に記載のマッサージ具。
【発明の詳細な説明】
【技術分野】
【０００１】
この発明は、身体の各部、特に頭皮に対してマッサージ刺激を与えながら洗浄することもでき、またスポーツや美容などの身体ケアとして使用するのにも適したマッサージ具に関するものである。
【背景技術】
【０００２】
この種の物品としては、従来から図７に示したような頭皮マッサージ用ブラシが存在する。この頭皮マッサージ用ブラシは、ブラシ毛台１１がブラシ基台１２に取り付けられており、このブラシ毛台１１には適度の刺激が効率よく頭皮や毛根に与えられるように任意の形状のブリッスル１３が適量設置されたものとしている（特許文献１）。
【０００３】
さらに、この種の物品としては、従来から図８、９に示したような頭皮洗浄ブラシが存在する。この頭皮洗浄ブラシは、弾力性のある柱状体の先端を円形に開口して盲孔部２２とし、頭皮との接触面に角の丸味を取っていない円形コーナー部２３を形成した複数のピン本体２１を、上部に握り手２４を有した自在性のある素材の台座２５に立設したものとしている。そして、前記弾力性のあるピン本体２１の円形コーナー部２３には、縦方向の切込み部２６を複数有したものとしている（特許文献２）。
【０００４】
また、この種の物品としては、従来から図１０、１１に示したようなマッサージ具が存在する。このマッサージ具は、枠体３１の内面に、下方への反転弾性変形自在なドーム壁３２を連設し、このドーム壁３２の上面に多数の突起３３を立設したものとしている。そして、前記枠体３１と各突起３３を比較的硬質のシリコン樹脂とし、前記ドーム壁３２を比較的軟質のシリコン樹脂とし、全体として一体成形したものとしている（特許文献３）。
【先行技術文献】
【特許文献】
【０００５】
【特許文献１】特開２００２−７８７６１号公報
【特許文献２】実用新案登録第３１１３００２号公報
【特許文献３】特開２０００−３３１０５号公報
【発明の概要】
【発明が解決しようとする課題】
【０００６】
従来の図７に示したような頭皮マッサージ用ブラシでは、上記したように、ブリッスル１３を頭皮や毛根に擦り付けるようにし、適度の刺激を効率よく頭皮や毛根に与え、マッサージ効果を与えられることができる任意の形状としている。
【０００７】
しかしながら、前記頭皮マッサージ用ブラシでは、ブリッスル１３の形状は特に限定されることなく任意の形状でよいとしているので、ブリッスル１３を頭皮や毛根に擦り付けるようにし、適度の刺激を効率よく頭皮や毛根にマッサージ効果を与えられるようにするには、未だ改良の余地があるという課題を有していた。
【０００８】
さらに、従来の図８、９に示したような頭皮洗浄ブラシでは、上記したように、ピン本体２１の先端を円形に開口して盲孔部２２とし、頭皮との接触面に角の丸味を取っていない円形コーナー部２３を形成したものとし、さらに円形コーナー部２３には、縦方向の切込み部２６を複数有したものとしている。そのため、この頭皮洗浄ブラシでは、頭皮への接触性や摩擦性が向上し、皮脂や毛根の汚れ除去効果が向上すると共に、円形コーナー部２３を擦り付けるようにして、快適なマッサージ効果を得られるとしている。特に、ピン本体２１の先端に縦方向の切込み部２６を複数有する構成により、頭皮への接触部が多点極小化するため、接触性や摩擦性がより向上し、快適なマッサージ効果と皮脂や毛根の汚れ除去効果を高めるとしている。
【０００９】
しかしながら、前記頭皮洗浄ブラシでは、頭皮を摘んだり、広げたりする作用がないか、また頭皮を摘んだり、広げたりする作用があったとしても、その作用は小さく、快適なマッサージ効果や優れた洗浄効果を得るには、未だ改良の余地があるという課題を有していた。
【００１０】
また、従来の図１０、１１に示したようなマッサージ具では、上記したように、多数の突起３３を、下方への反転弾性変形自在なドーム壁３２の上面に立設したものとしている。そのため、このマッサージ具では、突起３３の先端を押圧することで頭皮を刺激し、さらにドーム壁３２を反転弾性変形させて各突起３３の先端で頭皮をつまみ刺激することにより、マッサージ効果、指圧効果を極めて高いものにすることができるとしている。
【００１１】
しかしながら、前記マッサージ具では、マッサージ効果、指圧効果を極めて高いものにすることができるとしているが、頭皮を摘んだり、広げたりする作用が充分ではなく、これらの効果が未だ不充分であるという課題を有していた。
【００１２】
そこで、この発明は、上記従来の問題点を解消するものであり、頭皮や地肌がお湯や石鹸で濡れた状態にあっても、頭皮や地肌をしっかりと保持することにより、これらを摘んだり、広げたりする作用が軽い力で充分に発揮でき、しかも頭皮や地肌との接触部を、使用者に応じた最適な硬度に設定できるようにすることにより、頭皮や地肌を傷つけず、軽い力で優しく効率よく摘んだり、広げたりすることができ、非常に優れたマッサージ効果や洗浄効果を得ることができるようにしたマッサージ具を提供することを目的としてなされたものである。
【課題を解決するための手段】
【００１３】
この発明のマッサージ具は、弾性変形自在とした基板３の弾性変形部３ｂを外方へ突出した湾曲面形状とし、前記弾性変形部３ｂに複数突設された弾性を有する略円柱状の突出体４の先端部に、複数の弾性を有する突出部５を突設し、これら突出部５の突出方向をそれぞれ外向き下方に傾斜させたものとし、前記弾性変形部３ｂと外周縁部３ａの繋ぎ目に内周溝３ｃを設けたものとして、その繋ぎ目を薄肉にし、前記弾性変形部３ｂの弾性変形の度合いを調節することができるようにし、さらに前記弾性変形部３ｂに、基台１と基板３間の中空部Ｓに連通する複数の連通孔３ｄを設け、前記突出体４の中央部に、前記中空部Ｓに連通する連通孔３ｅを設け、前記弾性変形部３ｂを大きく上下変形させたときに、前記中空部Ｓに空気をスムーズに出入りさせ、その中空部Ｓに存在する多量の空気を吸排気する際に発生する空気圧を調整し、軽い力で前記弾性変形部３ｂを大きく上下変形できるようにしたものとしている。
【００１５】
また、この発明のマッサージ具は、前記突出部５を略円柱状とし、その突出部５の頭部５ａを、略半球状に形成したものとしている。
【発明の効果】
【００１６】
この発明のマッサージ具は、以上に述べたように構成されているので、頭皮や地肌がお湯や石鹸で濡れた状態にあっても、頭皮や地肌をしっかりと保持することができ、これらを摘んだり、広げたりする作用が軽い力で充分に発揮でき、しかも頭皮や地肌との接触部を、使用者に応じた最適な硬度に設定することにより、頭皮や地肌を傷つけず、軽い力で優しく効率よく摘んだり、広げたりすることができ、非常に優れたマッサージ効果や洗浄効果を得ることができるものとなった。
【図面の簡単な説明】
【００１７】
【図１】この発明のマッサージ具の一実施形態を示す正面図である。
【図２】図１に示すこの発明のマッサージ具の側面図である。
【図３】図１に示すこの発明のマッサージ具の底面図である。
【図４】図１に示すこの発明のマッサージ具の突出体を示しており、（ａ）はその斜視図であり、（ｂ）はその正面図であり、（ｃ）はその側面図である。
【図５】図１に示すこの発明のマッサージ具の基板を凹ませていない状態の断面図である。
【図６】図１に示すこの発明のマッサージ具の基板を凹ませた状態の断面図である。
【図７】従来の頭皮マッサージ用ブラシを示す正面図である。
【図８】従来の頭皮洗浄ブラシを示す断面図である。
【図９】図８に示す従来の頭皮洗浄ブラシのピン本体を拡大した斜視図である。
【図１０】従来のマッサージ具を示す斜視図である。
【図１１】図１０に示す従来のマッサージ具の断面図である。
【発明を実施するための形態】
【００１８】
以下、この発明のマッサージ具を実施するための形態を、図面に基づいて詳細に説明する。
この発明のマッサージ具は、ドーム状の基台１の上部に把持体２を設け、その基台１の下部に弾性変形自在とした基板３を設けたものとしている。
【００１９】
そして、前記基板３は、弾性変形部３ｂを外方へ突出した湾曲面形状としており、その弾性変形部３ｂと外周縁部３ａの繋ぎ目には内周溝３ｃを設けたものとして、その繋ぎ目を薄肉にし、その内周溝３ｃの深さや幅を調節することによって、前記弾性変形部３ｂの弾性変形の度合いを調節することができるようにしている。また、前記内周溝３ｃは、図示していないが、弾性変形部３ｂの適当な個所に設けたものとしてもよい。さらに、前記弾性変形部３ｂは、平面視すると略楕円形状としており、弾性を有する略円柱状の突出体４を、その湾曲面の垂線方向に複数突設している。なお、この弾性変形部３ｂの形状は、正円や正方形等、任意の形状にすることができる。図示したものは、前記突出体４を弾性変形部３ｂの略中心部に一個（複数個の場合もあり、一個に限定されるものではない）を突設し、その周囲に等間隔で複数個（図示したものは六個としているが、これより多くしても少なくしてもよい）を突設したものとしている。
【００２０】
また、前記弾性変形部３ｂには、基台１と基板３間の中空部Ｓに連通する複数の連通孔３ｄを設けておくことができ、突出体４の中央部にも、前記中空部Ｓに連通する連通孔３ｅを設けておくことができる。
【００２１】
これら連通孔３ｄおよび連通孔３ｅは、弾性変形部３ｂを大きく上下変形させたときに、前記中空部Ｓにスムーズに空気を出入りさせ、その中空部Ｓに存在する空気を吸排気する際に発生する空気圧を調整し最適な動きで弾性変形部３ｂが軽い力で大きく上下変形するようにしている。
【００２２】
なお、従来品で１〜２個程度の連通孔の開いたものがあり、その連通孔は単に空気や侵入した水を排出するためだけのものであったが、この発明では、さらに大きなストローク量で摘む、広げるという動きを左右する、弾性変形部３ｂの大きな上下の動きを軽い力で最適な動き(スムーズな動き)になるように、弾性変形部３ｂに連通孔３ｄを設けると共に突出体４の中央部にも連通孔３ｅを設けることによって、(弾性変形部３ｂに連通孔３ｄを開け過ぎて、強度が低下するのを防ぎながら、)中空部Ｓの空気をスムーズに出し入れする調整が可能になり、その結果、弾性変形部３ｂの大きな上下の動きを最適な動きにすることにより、従来品より、摘む、広げるという動きを軽い力でもって、大きなストローク量の摘む、広げるという動きになるようにすることが可能になった。さらに、中空部Ｓの空気をスムーズに出し入れできる様、調整する事により、弾性変形部３ｂのクッション性を左右する、反発力をも最適な反発力に調整する事ができる様になった。また、前記連通孔３ｄおよび連通孔３ｅは、浸入した水や泡を抜いたりするためのものでもあることは言うまでもない。
【００２３】
前記基板３と突出体４とは、同一材質の軟質合成樹脂等からなるものとしているが、相違する材質の軟質合成樹脂等からなるものとしてもよい。また、前記基板３と突出体４とは、別体として成形した後に連結したものとしているが、一体成形したものとしてもよい。なお、前記基台１と把持体２は、硬質合成樹脂等からなるものとしており、両者を一体成形したものとしているが、両者を別体として成形した後に連結したものとしてもよい。
【００２４】
前記基板３は、軟質合成樹脂等からなるものとしており、外周縁部３ａを前記基台１の下周端に設けた嵌合溝１ａに着脱不能として嵌め込んだものとしているが、その基台１の下周端の嵌合溝１ａに着脱可能として嵌め込んだものとしてもよい。さらに、前記基板３は、弾性変形部３ｂの左右方向（略楕円形の短径方向）の中央断面形状が緩やかな曲線Ｌａになるものとしており、その湾曲面の前後方向（略楕円形の長径方向）の中央断面形状が前記曲線Ｌａよりさらに緩やかな曲線Ｌｂになるものとしている。この発明では、前記曲線Ｌａの曲率半径を９０〜１１０ｍｍとし、曲線Ｌｂの曲率半径を１２５〜１５０ｍｍとしたものとするのが、後に述べる頭皮等の洗浄操作時に好ましいものとなる。
【００２５】
前記突出体４は、直径を１０ｍｍ程度とし、高さを５〜１０ｍｍ程度とした略円柱形状としており、先端部に弾性を有する略円柱状の突出部５を、その突出体４から外向き下方に傾斜させて複数突設したものとしている。前記突出体４と突出部５とは、同一材質の軟質合成樹脂等からなるものとしているが、相違する材質の軟質合成樹脂等からなるものとしてもよい。なお、前記突出体４と突出部５とは、一体成形したものとしているが、別体として成形した後に連結したものとしてもよい。
【００２６】
前記突出部５は、直径を１〜３ｍｍ程度とし、高さを５〜１０ｍｍ程度にしており、その頭部５ａを略半球状に形成したものとしている。図示したものは、前記突出部５を突出体４の先端部の周囲に沿って等間隔に設け、それぞれを突出体４の外向き下方に傾斜させたものとしている。この場合の突出体４の傾斜角度αとしては、６０〜８０°にして傾斜させたものとするのが、後に述べる頭皮等の洗浄操作時に好ましいものとなる。従来のように９０°とした場合は、前記突出部５の変形曲りがスムーズにできず、摘み広げるという動きがスムーズにできない。
【００２７】
さらに、前記突出部５のうち、前記弾性変形部３ｂの略中心部に突設した突出体４の周囲に等間隔で複数個を突設した突出体４に突設した突出部５は、基板３の弾性変形部３ｂの中心部に向かうものほど短く形成したものとしている。このようにすると、前記弾性変形部３ｂの湾曲面形状との関係で、頭皮等の洗浄面に数多くの突出部５が接触することになり、後に述べる頭皮等の洗浄操作時に好ましいものとなる。
【００２８】
このように構成したこの発明のマッサージ具は、使用者が片手で把持部２を把持して、洗浄操作時にお湯や石鹸等で濡れたその使用者の頭皮や地肌に突出部５を軽い力で押し当てれば、適度な反発力のクッション性を保ちながら、弾性変形部３ｂが大きく上下弾性変形して、図５に示した外方へ突出した状態から、図６に示したような内方へ大きく凹んだ状態となる。
【００２９】
この状態においては、前記基板３の弾性変形部３ｂに突設した複数の突出体４が、凹んだり傾いたりして、それぞれの突出体４どうしが最も近づくが、前記突出体４に突設した突出部５が、押し曲げられて、それぞれの突出部５どうしが離れるので、これら複数の突出体４の作用によって頭皮や地肌が大きなストローク量で全体的に縮められると共に、これら複数の突出部５の作用によって頭皮や地肌が部分的に押し広げられることになる。
【００３０】
そこで、使用者が手の力を抜き、頭皮や地肌に突出部５を押し当てるのを止めると、基板３の弾性変形部３ｂが再び大きく弾性変形して、図６に示した内方へ大きく凹んだ状態から、図５に示したような外方へ突出した元の状態に戻り、突出体４どうしが大きなストローク量で離れ、その結果、頭皮や地肌を大きく押し広げる事となる。
【００３１】
この状態においては、前記基板３の弾性変形部３ｂに突設した複数の突出体４も、前記突出体４に突設した突出部５も元の状態となり、これら複数の突出体４の作用によって全体的に縮められた頭皮や地肌も大きなストローク量で元の状態に戻ると共に、これら複数の突出部５の作用によって部分的に押し広げられた頭皮や地肌が大きなストローク量で摘まれることになる。
【００３２】
したがって、この発明のマッサージ具では、前記したように頭皮に突出部５を押し当てたり、押し当てるのを止める操作を繰り返したりすることにより、従来品と比べ大きなストローク量で、充分なマッサージ効果や洗浄効果を得ることができる。
【００３３】
そして、この発明のマッサージ具は、基板３、突出体４および突出部５の形状や大きさ等を前記したように特定したものとすることにより、前記洗浄操作時にお湯や石鹸で濡れた状態の頭皮や地肌をしっかりと保持することができ、これらを摘んだり、広げたりする作用が大きなストローク量により、充分に発揮でき、しかも頭皮や地肌との接触部である突出部５を、その使用者に応じた最適な硬度に設定することにより、頭皮や地肌を傷つけず、優しく効率よく摘んだり、広げたりすることができ、非常に優れたマッサージ効果や洗浄効果を発揮できるものとなる。
【符号の説明】
【００３４】
３  基板
３ｂ  弾性変形部
３ｃ  内周溝
３ｄ  連通孔
３ｅ  連通孔
４  突出体
５  突出部
５ａ  頭部
Ｓ  中空部
【図１】
0005717027.tif 000002
【図２】
0005717027.tif 000003
【図３】
0005717027.tif 000004
【図４】
0005717027.tif 000005
【図５】
0005717027.tif 000006
【図６】
0005717027.tif 000007
【図７】
0005717027.tif 000008
【図８】
0005717027.tif 000009
【図９】
0005717027.tif 000010
【図１０】
0005717027.tif 000011
【図１１】
0005717027.tif 000012